(57)【要約】【課題】  移動端末がランダムアクセス通信を開始するまでの待ち時間を短くすることが可能な基地局を提供する。【解決手段】  移動端末１はランダムアクセス通信を開始したい場合、ランダムに選んだアクセススロット、シグネチャを用いて基地局２にプリアンブルを送信する。基地局２は、その移動端末１の通信開始要求を許可しない場合、要求不許可信号（ＮＡＣＫ）、次回使用すべきシグネチャ番号を移動端末１に返す［（ａ）一回目］。移動端末１は、要求不許可信号を受取ると、指定された番号のシグネチャを用いて再びプリアンブルを送信する。基地局２側では、指定したシグネチャを用いたプリアンブルを送ってきた移動端末１に対して優先的に要求許可信号（ＡＣＫ）を返す［（ｂ）二回目］。【選択図】      図１
2008187551.tif 000002
【特許請求の範囲】
【請求項１】
移動端末がランダムアクセス通信を開始する際に、ランダムに選んだアクセススロット、シグネチャを用いて基地局に通信開始要求信号を送信し、前記基地局が前記移動端末に対して通信開始要求の許可／不許可を示す要求許可信号／要求不許可信号のいずれかを送信する移動体無線通信システムであって、
前記基地局は、前記移動端末への前記要求不許可信号の送信時に前記アクセススロット及び前記シグネチャのいずれかを指定する手段と、当該移動端末からその指定した前記アクセススロット及び前記シグネチャのいずれかを用いて送信されてきた前記通信開始要求信号を受信した時に当該移動端末に優先的に要求許可信号を送信する手段とを有し、
前記移動端末は、前記要求不許可信号の受信時に前記基地局から指定された前記アクセススロット及び前記シグネチャのいずれかを用いて前記通信開始要求信号を再送する手段を有することを特徴とする移動体無線通信システム。
【請求項２】
前記基地局が指定する前記アクセススロット及び前記シグネチャのいずれかは、通信開始を要求したにもかかわらず要求を拒否された状態の移動端末が専用に用いるために予約されたものであることを特徴とする請求項１記載の移動体無線通信システム。
【請求項３】
前記移動端末は、前記基地局から前記要求許可信号／要求不許可信号のいずれが送信されてきたかを判定する手段と、前記アクセススロット及び前記シグネチャのいずれかの指定情報を判定する手段とを含むことを特徴とする請求項１または請求項２記載の移動体無線通信システム。
【請求項４】
前記基地局は、前記移動端末から受信した前記通信開始要求信号の前記アクセススロット及び前記シグネチャのいずれかを判定する手段を含むことを特徴とする請求項１から請求項３のいずれか記載の移動体無線通信システム。
【請求項５】
移動端末がランダムアクセス通信を開始する際に、ランダムに選んだアクセススロット、シグネチャを用いて通信開始要求信号を送信してきた時に、前記移動端末に対して通信開始要求の許可／不許可を示す要求許可信号／要求不許可信号のいずれかを送信する基地局であって、
前記移動端末への前記要求不許可信号の送信時に前記アクセススロット及び前記シグネチャのいずれかを指定する手段と、当該移動端末からその指定した前記アクセススロット及び前記シグネチャのいずれかを用いて送信されてきた前記通信開始要求信号を受信した時に当該移動端末に優先的に要求許可信号を送信する手段とを有することを特徴とする基地局。
【請求項６】
前記移動端末に対して指定する前記アクセススロット及び前記シグネチャのいずれかは、通信開始を要求したにもかかわらず要求を拒否された状態の移動端末が専用に用いるために予約されたものであることを特徴とする請求項５記載の基地局。
【請求項７】
前記移動端末から受信した前記通信開始要求信号の前記アクセススロット及び前記シグネチャのいずれかを判定する手段を含むことを特徴とする請求項５または請求項６記載の基地局。
【請求項８】
ランダムアクセス通信を開始する際に、ランダムに選んだアクセススロット、シグネチャを用いて基地局に通信開始要求信号を送信し、通信開始要求の許可／不許可を示す要求許可信号／要求不許可信号のいずれかを前記基地局から受信する移動端末であって、
前記要求不許可信号の受信時に前記基地局から指定された前記アクセススロット及び前記シグネチャのいずれかを用いて前記通信開始要求信号を再送する手段を有することを特徴とする移動端末。
【請求項９】
前記基地局が指定する前記アクセススロット及び前記シグネチャのいずれかは、通信開始を要求したにもかかわらず要求を拒否された状態の移動端末が専用に用いるために予約されたものであることを特徴とする請求項８記載の移動端末。
【請求項１０】
前記基地局から前記要求許可信号／要求不許可信号のいずれが送信されてきたかを判定する手段と、前記アクセススロット及び前記シグネチャのいずれかの指定情報を判定する手段とを含むことを特徴とする請求項８または請求項９記載の移動端末。
【請求項１１】
移動端末がランダムアクセス通信を開始する際に、ランダムに選んだアクセススロット、シグネチャを用いて基地局に通信開始要求信号を送信し、前記基地局が前記移動端末に対して通信開始要求の許可／不許可を示す要求許可信号／要求不許可信号のいずれかを送信する移動体無線通信システムに用いるランダムアクセス制御方法であって、
前記基地局が、前記移動端末への前記要求不許可信号の送信時に前記アクセススロット及び前記シグネチャのいずれかを指定する処理と、当該移動端末からその指定した前記アクセススロット及び前記シグネチャのいずれかを用いて送信されてきた前記通信開始要求信号を受信した時に当該移動端末に優先的に要求許可信号を送信する処理とを実行し、
前記移動端末が、前記要求不許可信号の受信時に前記基地局から指定された前記アクセススロット及び前記シグネチャのいずれかを用いて前記通信開始要求信号を再送する処理を実行することを特徴とするランダムアクセス制御方法。
【請求項１２】
前記基地局が指定する前記アクセススロット及び前記シグネチャのいずれかは、通信開始を要求したにもかかわらず要求を拒否された状態の移動端末が専用に用いるために予約されたものであることを特徴とする請求項１１記載のランダムアクセス制御方法。
【請求項１３】
前記移動端末が、前記基地局から前記要求許可信号／要求不許可信号のいずれが送信されてきたかを判定する処理と、前記アクセススロット及び前記シグネチャのいずれかの指定情報を判定する処理とを実行することを特徴とする請求項１１または請求項１２記載のランダムアクセス制御方法。
【請求項１４】
前記基地局が、前記移動端末から受信した前記通信開始要求信号の前記アクセススロット及び前記シグネチャのいずれかを判定する処理を実行することを特徴とする請求項１１から請求項１３のいずれか記載のランダムアクセス制御方法。
【発明の詳細な説明】
【技術分野】
【０００１】
本発明は移動体無線通信システム、基地局、移動端末及びそれらに用いるランダムアクセス制御方法に関し、特に移動通信システムにおけるランダムアクセス通信の効率、スループットを向上させる方法に関する。
【背景技術】
【０００２】
近年、移動体無線通信においてやりとりされるデータは、以前の音声通話だけではなく、文字、画像、音楽、映像と多岐にわたり、そのデータ量も膨大である。そのため、移動体無線通信システムでは、通信リソースを効率的に使用することが求められる。
【０００３】
上述した文字、画像、音楽、映像等のデータを移動端末から基地局に送る際、データはパケット化され、ランダムアクセス通信方式で送られるのが一般的である。例えば、Ｗ−ＣＤＭＡ（Ｗｉｄｅｂａｎｄ−Ｃｏｄｅ  Ｄｉｖｉｓｉｏｎ  Ｍｕｌｔｉｐｌｅ  Ａｃｃｅｓｓ）方式では、ランダムアクセス専用のチャネルとしてＰＲＡＣＨ（Ｐｈｙｓｉｃａｌ  Ｒａｎｄｏｍ  Ａｃｃｅｓｓ  Ｃｈａｎｎｅｌ）が用意されている（例えば、特許文献１及び非特許文献１参照）。
【０００４】
移動体無線通信システムのランダムアクセス通信時には、移動端末がランダムアクセス通信を開始したい場合、ランダムに選んだアクセススロット、シグネチャを用いて、基地局に対してプリアンブルと呼ばれる通信開始要求信号を送信する。
【０００５】
基地局は、その移動端末の通信開始要求を許可する場合に要求許可信号（ＡＣＫ：ａｃｋｎｏｗｌｅｄｇｅｍｅｎｔ）を返す。また、基地局は、許可しない場合、要求不許可信号（ＮＡＣＫ：ｎｅｇａｔｉｖｅ  ａｃｋｎｏｗｌｅｄｇｅｍｅｎｔ）を返す。
【０００６】
上記のように、移動端末がランダムアクセス通信を行う場合の処理を図６に示す。図６において、移動端末は、ランダムアクセス通信を行う場合、シグネチャ、アクセススロットをランダムに選択し（図６ステップＳ２１，Ｓ２２）、プリアンブルを送信している（図６ステップＳ２３）。
【０００７】
移動端末は基地局から要求許可信号（ＡＣＫ）を受信すると（図６ステップＳ２４）、メッセージを送信し（図６ステップＳ２５）、処理を終了する。
また、移動端末は基地局から要求不許可信号を受信すると（図６ステップＳ２６）、ステップＳ２１に戻って、シグネチャ、アクセススロットをランダムに選択し直して再びプリアンブルを送信する。
【０００８】
一方、移動端末は基地局から要求許可信号も、要求不許可信号も受信せず（図６ステップＳ２４，Ｓ２６）、プリアンブルの再送回数が範囲を超えると（図６ステップＳ２７）、処理を終了する。
【０００９】
この場合、移動端末は、プリアンブルの再送回数が範囲内であれば（図６ステップＳ２７）、送信電力を一定量増加（パワーランピング）させ（図６ステップＳ２７）、ステップＳ２１に戻って、シグネチャ、アクセススロットをランダムに選択し直して再びプリアンブルを送信する。
【００１０】
【特許文献１】特開２００２−２４６９５２号公報
【非特許文献１】“Ｐｈｙｓｉｃａｌ  ｃｈａｎｎｅｌｓ  ａｎｄ  ｍａｐｐｉｎｇ  ｏｆ  ｔｒａｎｓｐｏｒｔ  ｃｈａｎｎｅｌｓ  ｏｎｔｏ  ｐｈｙｓｉｃａｌ  ｃｈａｎｎｅｌｓ  ５．２．２．１  Ｐｈｙｓｉｃａｌ  Ｒａｎｄｏｍ  Ａｃｃｅｓｓ  Ｃｈａｎｎｅｌ（ＰＲＡＣＨ）”［３ＧＰＰ（３ｒｄ  Ｇｅｎｅｒａｔｉｏｎ  Ｐａｒｔｎｅｒｓｈｉｐ  Ｐｒｏｊｅｃｔ）  ＴＳ２５．２１１  Ｖ７．０．０（２００６−０３）］
【発明の開示】
【発明が解決しようとする課題】
【００１１】
しかしなから、従来のＷ−ＣＤＭＡ方式のＰＲＡＣＨでは、ネットワークが混み合っている際にランダムアクセス通信の開始を試みた時、通信開始まで長く待たされるユーザが発生する恐れがある。
【００１２】
従来、移動端末が要求不許可信号を受取った後、再びプリアンブルを送信する際には、アクセススロットやシグネチャをランダムに選択し直す必要があるので、基地局においてその移動端末が何度プリアンブル送信を試みているかがわからない。よって、プリアンブル送信が１回目の移動端末も、複数回目の移動端末も同じように扱われてしまうため、何度も続けて要求不許可信号を受取ってしまい、メッセージ送信を開始できない端末が発生する恐れがある。
【００１３】
そこで、本発明の目的は上記の問題点を解消し、移動端末がランダムアクセス通信を開始するまでの待ち時間を短くすることができる移動体無線通信システム、基地局、移動端末及びそれらに用いるランダムアクセス制御方法を提供することにある。
【課題を解決するための手段】
【００１４】
本発明による移動体無線通信システムは、移動端末がランダムアクセス通信を開始する際に、ランダムに選んだアクセススロット、シグネチャを用いて基地局に通信開始要求信号を送信し、前記基地局が前記移動端末に対して通信開始要求の許可／不許可を示す要求許可信号／要求不許可信号のいずれかを送信する移動体無線通信システムであって、
前記基地局は、前記移動端末への前記要求不許可信号の送信時に前記アクセススロット及び前記シグネチャのいずれかを指定する手段と、当該移動端末からその指定した前記アクセススロット及び前記シグネチャのいずれかを用いて送信されてきた前記通信開始要求信号を受信した時に当該移動端末に優先的に要求許可信号を送信する手段とを備え、
前記移動端末は、前記要求不許可信号の受信時に前記基地局から指定された前記アクセススロット及び前記シグネチャのいずれかを用いて前記通信開始要求信号を再送する手段を備えている。
【００１５】
本発明による基地局は、移動端末がランダムアクセス通信を開始する際に、ランダムに選んだアクセススロット、シグネチャを用いて通信開始要求信号を送信してきた時に、前記移動端末に対して通信開始要求の許可／不許可を示す要求許可信号／要求不許可信号のいずれかを送信する基地局であって、
前記移動端末への前記要求不許可信号の送信時に前記アクセススロット及び前記シグネチャのいずれかを指定する手段と、当該移動端末からその指定した前記アクセススロット及び前記シグネチャのいずれかを用いて送信されてきた前記通信開始要求信号を受信した時に当該移動端末に優先的に要求許可信号を送信する手段とを備えている。
【００１６】
本発明による移動端末は、ランダムアクセス通信を開始する際に、ランダムに選んだアクセススロット、シグネチャを用いて基地局に通信開始要求信号を送信し、通信開始要求の許可／不許可を示す要求許可信号／要求不許可信号のいずれかを前記基地局から受信する移動端末であって、
前記要求不許可信号の受信時に前記基地局から指定された前記アクセススロット及び前記シグネチャのいずれかを用いて前記通信開始要求信号を再送する手段を備えている。
【００１７】
本発明によるランダムアクセス制御方法は、移動端末がランダムアクセス通信を開始する際に、ランダムに選んだアクセススロット、シグネチャを用いて基地局に通信開始要求信号を送信し、前記基地局が前記移動端末に対して通信開始要求の許可／不許可を示す要求許可信号／要求不許可信号のいずれかを送信する移動体無線通信システムに用いるランダムアクセス制御方法であって、
前記基地局が、前記移動端末への前記要求不許可信号の送信時に前記アクセススロット及び前記シグネチャのいずれかを指定する処理と、当該移動端末からその指定した前記アクセススロット及び前記シグネチャのいずれかを用いて送信されてきた前記通信開始要求信号を受信した時に当該移動端末に優先的に要求許可信号を送信する処理とを実行し、
前記移動端末が、前記要求不許可信号の受信時に前記基地局から指定された前記アクセススロット及び前記シグネチャのいずれかを用いて前記通信開始要求信号を再送する処理を実行している。
【００１８】
すなわち、本発明の移動体無線通信システムは、上記の課題を解決するために、基地局が移動端末に要求不許可信号（ＮＡＣＫ：ｎｅｇａｔｉｖｅ  ａｃｋｎｏｗｌｅｄｇｅｍｅｎｔ）を送信する際、同時に次回使用するシグネチャ番号を指定している。これによって、一度要求不許可信号を受取った移動端末は、指定されたシグネチャを使用することで、次回のプリアンブル送信時に優先的に要求許可信号（ＡＣＫ：ａｃｋｎｏｗｌｅｄｇｅｍｅｎｔ）を受取ることが可能となる。
【００１９】
本発明の移動体無線通信システムでは、ランダムアクセス通信時に、移動端末からの通信開始要求に対して基地局が要求不許可信号を送信する際、次回使用すべきシグネチャ番号を要求不許可信号と同時に送信することを特徴とする。
【００２０】
より具体的に説明すると、本発明の移動体無線通信システムでは、移動端末がランダムアクセス通信を開始したい場合、ランダムに選んだアクセススロット、シグネチャを用いて、基地局に対してプリアンブルと呼ばれる通信開始要求信号を送信する。
【００２１】
基地局は、その移動端末の通信開始要求を許可する場合、要求許可信号を移動端末に返し、許可しない場合、要求不許可信号、次回使用すべきシグネチャ番号を移動端末に返す。ここで指定するシグネチャ番号は、通信開始を要求したにもかかわらず、要求を拒否された状態の移動端末が専用に用いるために予約されたものであるとする。
【００２２】
移動端末は、要求許可信号を受取ると、メッセージ送信を開始し、要求不許可信号を受取ると、指定された番号のシグネチャを用いて再びプリアンブルを送信する。基地局側では、指定したシグネチャを用いたプリアンブルを送ってきた移動端末に対して優先的に要求許可信号を返す。
【００２３】
このように、本発明の移動体無線通信システムでは、基地局が一度要求不許可信号を受取った移動端末に対して優先的に要求許可信号を返すことで、移動端末がランダムアクセス通信を開始するまでの待ち時間を短くすることが可能となる。
【００２４】
また、本発明の移動体無線通信システムでは、移動端末がランダムアクセス通信を開始する際のプリアンブル送信回数を抑えることが可能となるため、移動端末の消費電力を節約することが可能となる。
【発明の効果】
【００２５】
本発明は、上記のような構成及び動作とすることで、移動端末がランダムアクセス通信を開始できるまでの待ち時間を短くすることができるという効果が得られる。
【発明を実施するための最良の形態】
【００２６】
次に、本発明の実施例について図面を参照して説明する。図１は本発明の一実施例による移動体無線通信システムの動作の概要を示す図である。図１においては、本発明の一実施例を移動端末１と基地局２とからなる一般的なＣＤＭＡ（Ｃｏｄｅ  Ｄｉｖｉｓｉｏｎ  Ｍｕｌｔｉｐｌｅ  Ａｃｃｅｓｓ：符号分割多重アクセス）方式の携帯電話システムに適用した場合の例を示している。
【００２７】
移動端末１はランダムアクセス通信を開始したい場合、ランダムに選んだアクセススロット、シグネチャを用いて、基地局２に対してプリアンブルと呼ばれる通信開始要求信号を送信する。
【００２８】
基地局２は、その移動端末１の通信開始要求を許可しない場合、要求不許可信号（ＮＡＣＫ：ｎｅｇａｔｉｖｅ  ａｃｋｎｏｗｌｅｄｇｅｍｅｎｔ）、次回使用すべきシグネチャ番号を移動端末１に返す［図１（ａ）一回目参照］。ここで指定するシグネチャ番号は、通信開始を要求したにもかかわらず、要求を拒否された状態の移動端末１が専用に用いるために予約されたものであるとする。
【００２９】
移動端末１は、要求不許可信号を受取ると、指定された番号のシグネチャを用いて再びプリアンブルを送信する。基地局２側では、指定したシグネチャを用いたプリアンブルを送ってきた移動端末１に対して優先的に要求許可信号（ＡＣＫ：ａｃｋｎｏｗｌｅｄｇｅｍｅｎｔ）を返す［図１（ｂ）二回目参照］。
【００３０】
図２は図１の移動端末１の構成例を示すブロック図である。図２において、移動端末１は、アンテナ部１１と、無線変復調部１２と、制御部１３と、相関期１４と、ＡＣＫ／ＮＡＣＫ判定器１５と、シグネチャ判定器１６と、プリアンブル生成器１７と、メッセージ生成器１８とから構成されている。
【００３１】
アンテナ部１１及び無線変復調部１２は変調された無線信号とディジタル信号とを相互に変換する。相関器１４は基地局２から受信した信号と拡散符号との相関を計算し、結果をＡＣＫ／ＮＡＣＫ判定器１５とシグネチャ判定器１６とに送る。ＡＣＫ／ＮＡＣＫ判定器１５は、基地局２から受信した信号が要求許可信号（ＡＣＫ）／要求不許可信号（ＮＡＣＫ）のどちらなのかを判定し、その結果を制御部１３に送る。シグネチャ判定器１６は基地局２から指定されたシグネチャ番号を判定し、その判定結果を制御部１３に送る。
【００３２】
制御部１３は、ＡＣＫ／ＮＡＣＫ判定器１５及びシグネチャ判定器１６からの情報を参考に、プリアンブル生成器１７及びメッセージ生成器１８の制御を行う。プリアンブル生成器１７は制御部１３から指定されたシグネチャを使用してプリアンブルを生成し、そのプリアンブルを制御部１３から指定されたアクセススロットで基地局２に送信するために無線変復調部１２に送る。メッセージ生成器１８は、制御部１３にしたがってメッセージを生成し、そのメッセージを基地局２に送信するために無線変復調部１２に送る。
【００３３】
図３は図１の基地局２の構成例を示すブロック図である。図３において、基地局２は、アンテナ部２１と、無線変復調部２２と、制御部２３と、相関期２４と、プリアンブル判定器２５と、ＡＣＫ／ＮＡＣＫ信号生成器２６と、シグネチャ番号生成器２７とから構成されている。但し、アンテナ部２１、無線変復調部２２、相関器２４は上記の移動端末１と同じ役割であるので、それらの説明については省略する。
【００３４】
プリアンブル判定器２５は移動端末１から受信したプリアンブルのシグネチャを判定し、その判定結果を制御部２３に送る。制御部２３はプリアンブル判定器２５からの情報や、その時、ランダムアクセス通信許可要求を送ってきている移動端末１の数、基地局２のランダムアクセス通信の状況を参考に、ＡＣＫ／ＮＡＣＫ信号生成器２６、シグネチャ番号選択器２７を制御する。
【００３５】
ＡＣＫ／ＮＡＣＫ信号生成器２６は、制御部２３から指定された要求許可信号（ＡＣＫ）、要求不許可信号（ＮＡＣＫ）のどちらかの信号を生成する。この時、要求許可信号（ＡＣＫ）／要求不許可信号（ＮＡＣＫ）は移動端末１のシグネチャ番号と対応したものを生成する。シグネチャ番号選択器２７は、要求不許可信号（ＮＡＣＫ）を送信する際に、移動端末が次回使用すべきシグネチャ番号を選択する。
【００３６】
図４は本発明の一実施例による移動端末１の処理動作を示すフローチャートであり、図５は本発明の一実施例による基地局２の処理動作を示すフローチャートである。これら図１〜図５を参照して移動端末１及び基地局２の動作について説明する。
【００３７】
まず、図４を参照して移動端末１の動作について説明する。移動端末１はランダムアクセス通信を開始するために、まずシグネチャ、アクセススロットをランダムに選択し（図４ステップＳ１，Ｓ２）、選択したものを用いてプリアンブルを基地局２に送信する（図４ステップＳ３）。
【００３８】
移動端末１は、送信したプリアンブルに対して基地局２から要求許可信号（ＡＣＫ）を受信した場合（図４ステップＳ４）、ランダムアクセス通信開始を許可されたということなので、続いてメッセージを送信する（図４ステップＳ５）。
【００３９】
一方、移動端末１は、送信したプリアンブルに対して要求不許可信号（ＮＡＣＫ）を受信した場合（図４ステップＳ６）、シグネチャに基地局２から要求不許可信号（ＮＡＣＫ）と同時に受信した番号のシグネチャを使用し（図４ステップＳ７）、アクセススロットは初回と同様ランダムに選択したものを使用し（図４ステップＳ２）、再びプリアンブルを送信する（図４ステップＳ３）。
【００４０】
移動端末１は、基地局からの要求許可信号（ＡＣＫ）、要求不許可信号（ＮＡＣＫ）ともに受信できなかった場合（図４ステップＳ４，Ｓ６）、送信電力を一定量増加（パワーランピング）させ（図４ステップＳ８）、シグネチャ、アクセススロットをランダムに選択し直して（図４ステップＳ１，Ｓ２）、再びプリアンブルを送信する（図４ステップＳ３）。但し、パワーランピングを行ってプリアンブルを再送する回数には制限があり、移動端末１は、設定された再送回数を超えている場合（図４ステップＳ７）、プリアンブルを再送せずにランダムアクセス手順を終了する。
【００４１】
本実施例では、上記のように、要求不許可信号（ＮＡＣＫ）を受信した場合、シグネチャに基地局２から要求不許可信号（ＮＡＣＫ）と同時に受信した番号のシグネチャを使用している点で、図６に示す従来の移動体無線通信システムの移動端末の処理動作と異なっている。
【００４２】
続いて、図５を参照して基地局２の動作について説明する。基地局は、移動端末１からプリアンブルを受信すると（図５ステップＳ１１）、受信したプリアンブルのシグネチャを判定する（図５ステップＳ１２）。
【００４３】
基地局２は、もし受信したシグネチャが優先して要求許可信号（ＡＣＫ）を返すべきものであれば（図５ステップＳ１３）、その時の基地局２のランダムアクセス通信の状況にかかわらず、当該移動端末１に優先的に要求許可信号（ＡＣＫ）を送信する（図５ステップＳ１４）。
【００４４】
基地局２は、受信したプリアンブルのシグネチャが優先すべきものでなければ（図５ステップＳ１３）、その時、ランダムアクセス通信許可要求を送ってきている移動端末１の数、基地局２のランダムアクセス通信の状況を参考に要求許可信号（ＡＣＫ）／要求不許可信号（ＮＡＣＫ）のどちらを送るかを判断する（図５ステップＳ１５）。
【００４５】
基地局２は、もし要求不許可信号（ＮＡＣＫ）を送信する場合、移動端末１が再びプリアンブルを送信する時に使用すべきシグネチャ番号を同時に送信する（図５ステップＳ１６，Ｓ１７）。ここで、指定するシグネチャ番号は、通信開始を要求したにもかかわらず、要求を拒否された状態の移動端末１が専用に用いるために予約されたものの中から選んだものであるとする。
【００４６】
この後、基地局２は、移動端末１がここで指定したシグネチャを用いてプリアンブルを送信してきた場合（図５ステップＳ１３）、その移動端末１に優先的に要求許可信号（ＡＣＫ）を送信する（図５ステップＳ１４）。
【００４７】
このように、本実施例では、基地局２が一度要求不許可信号（ＮＡＣＫ）を受取った移動端末１に対して優先的に要求許可信号（ＡＣＫ）を返すことで、移動端末１がランダムアクセス通信を開始するまでの待ち時間を短くすることができる。
【００４８】
また、本実施例では、移動端末１がランダムアクセス通信を開始する際のプリアンブル送信回数を抑えることができるため、移動端末１の消費電力を節約することができる。
【００４９】
尚、本発明では、上記の実施例において、基地局２が要求不許可信号（ＮＡＣＫ）とともにシグネチャ番号を送信しているが、基地局２が要求不許可信号（ＮＡＣＫ）と同時に送信するのをアクセススロット番号とすることも可能であり、その場合にはアクセススロットを使用してプリアンブルを送信してきた移動端末１に優先的に要求許可信号（ＡＣＫ）を返すようにすることができる。
【図面の簡単な説明】
【００５０】
【図１】本発明の一実施例による移動体無線通信システムの動作の概要を示す図である。
【図２】図１の移動端末の構成例を示すブロック図である。
【図３】図１の基地局の構成例を示すブロック図である。
【図４】本発明の一実施例による移動端末の処理動作を示すフローチャートである。
【図５】本発明の一実施例による基地局の処理動作を示すフローチャートである。
【図６】従来の移動端末の処理動作を示すフローチャートである。
【符号の説明】
【００５１】
１  移動端末
２  基地局
１１，２１  アンテナ部
１２，２２  無線変復調部
１３，２３  制御部
１４，２４  相関期
１５  ＡＣＫ／ＮＡＣＫ判定器
１６  シグネチャ判定器
１７  プリアンブル生成器
１８  メッセージ生成器
２５  プリアンブル判定器
２６  ＡＣＫ／ＮＡＣＫ信号生成器
２７  シグネチャ番号生成器
【図１】
2008187551.tif 000003
【図２】
2008187551.tif 000004
【図３】
2008187551.tif 000005
【図４】
2008187551.tif 000006
【図５】
2008187551.tif 000007
【図６】
2008187551.tif 000008